(57)【要約】  液晶表示素子（２０）に対して傾斜した方向から入射する光（Ｌ２・Ｌ３）のうち、液晶表示素子（２０）の法線方向から出射しやすい方向からの入射光の強度が弱くなるように、バックライトユニット（６０）が配設されている。
2009101745.tif 000002
【特許請求の範囲】
【請求項１】
液晶層と、前記液晶層の両側に設けられた入射側偏光板及び出射側偏光板とが備えられた液晶表示素子と、
出射面から出射する光が前記液晶表示素子に入射するバックライトユニットとが備えられた液晶表示装置であって、
前記液晶表示素子に対して傾斜した方向から入射する光のうち、前記液晶表示素子の法線方向から出射しやすい方向からの入射光の強度が弱くなるように、前記バックライトユニットが配設されていることを特徴とする液晶表示装置。
【請求項２】
前記バックライトユニットには、導光板と、拡散シートと、少なくとも１枚のプリズムシートとが備えられていることを特徴とする請求項１に記載の液晶表示装置。
【請求項３】
前記液晶表示素子と前記バックライトユニットとの間に、輝度向上フィルムが備えられていることを特徴とする請求項１又は２に記載の液晶表示装置。
【請求項４】
前記液晶表示素子と前記バックライトユニットとが近接して配置されていることを特徴とする請求項１から３のいずれか１項に記載の液晶表示装置。
【請求項５】
前記液晶表示素子と前記バックライトユニットとの間隔が、０ｍｍ以上１０ｍｍ以下であることを特徴とする請求項１から４のいずれか１項に記載の液晶表示装置。
【請求項６】
前記光が法線方向から出射しやすい方向における方位と、前記プリズムシートのプリズム軸とのなす角が、２０度以上７０度以下、又は、１１０度以上１６０度以下であることを特徴とする請求項２に記載の液晶表示装置。
【請求項７】
前記液晶表示素子が直線偏光タイプの垂直配向モードであり、
前記入射側偏光板の吸収軸と前記プリズムシートのプリズム軸とのなす角が、−２５度以上２５度以下、又は、６５度以上１１５度以下であることを特徴とする請求項２に記載の液晶表示装置。
【請求項８】
前記液晶表示素子が直線偏光タイプの垂直配向モードであり、
前記入射側偏光板の吸収軸と前記プリズムシートのプリズム軸とのなす角が、−１５度以上１５度以下、又は、７５度以上１０５度以下であることを特徴とする請求項２に記載の液晶表示装置。
【請求項９】
前記液晶表示素子が直線偏光タイプの垂直配向モードであり、
前記入射側偏光板の吸収軸と前記プリズムシートのプリズム軸とのなす角が、−５度以上５度以下、又は、８５度以上９５度以下であることを特徴とする請求項２に記載の液晶表示装置。
【請求項１０】
前記液晶表示素子が円偏光タイプの垂直配向モードであり、
前記入射側偏光板の吸収軸と前記プリズムシートのプリズム軸とのなす角が、−４３度以上７度以下、又は、４７度以上９７度以下であることを特徴とする請求項２に記載の液晶表示装置。
【請求項１１】
前記液晶表示素子が円偏光タイプの垂直配向モードであり、
前記入射側偏光板の吸収軸と前記プリズムシートのプリズム軸とのなす角が、−３３度以上−３度以下、又は、５７度以上８７度以下であることを特徴とする請求項２に記載の液晶表示装置。
【請求項１２】
前記液晶表示素子が円偏光タイプの垂直配向モードであり、
前記入射側偏光板の吸収軸と前記プリズムシートのプリズム軸とのなす角が、−２３度以上−１３度以下、又は、６７度以上７７度以下であることを特徴とする請求項２に記載の液晶表示装置。
【請求項１３】
前記液晶表示素子がＴＮモードであり、
前記入射側偏光板の吸収軸と前記プリズムシートのプリズム軸とのなす角が、−２５度以上２５度以下、又は、６５度以上１１５度以下であることを特徴とする請求項２に記載の液晶表示装置。
【請求項１４】
前記液晶表示素子がＴＮモードであり、
前記入射側偏光板の吸収軸と前記プリズムシートのプリズム軸とのなす角が、−１５度以上１５度以下、又は、７５度以上１０５度以下であることを特徴とする請求項２に記載の液晶表示装置。
【請求項１５】
前記液晶表示素子がＴＮモードであり、
前記入射側偏光板の吸収軸と前記プリズムシートのプリズム軸とのなす角が、−５度以上５度以下、又は、８５度以上９５度以下であることを特徴とする請求項２に記載の液晶表示装置。
【請求項１６】
前記バックライトユニットには、プリズムシートが２枚、そのプリズム軸の方位が直交するように設けられていることを特徴とする請求項１から１５のいずれか１項に記載の液晶表示装置。
【請求項１７】
前記バックライトユニットの出射面から出射する光の半値幅が４４度以下であることを特徴とする請求項１から１６のいずれか１項に記載の液晶表示装置。
【請求項１８】
前記半値幅が２０度以上４０度以下であることを特徴とする請求項１７に記載の液晶表示装置。
【発明の詳細な説明】
【技術分野】
【０００１】
本発明は、液晶表示装置、特には、高いコントラストでの表示を可能にする液晶表示装置に関するものである。
【背景技術】
【０００２】
従来から、表示装置として、液晶表示装置が広く使われている。この液晶表示装置は、一般に液晶表示素子とバックライトユニットとを主な構成要素としている。そして、液晶表示素子は、液晶層が透明基板により挟持された構造を有し、各々の透明基板には偏光板が設けられている。また、バックライトユニットは、液晶表示素子に含まれる液晶表示パネルをその背面から照射するものであり、光源、導光板及び拡散板等により構成されている。【０００３】
また、昨今、液晶表示装置に対して、さらなる高輝度化や高コントラスト化等が要求されている。そして、このような要求に対して、種々の技術が提案されている。【０００４】
（特許文献１）
まず、特許文献１に記載された技術について説明する。【０００５】
特許文献１に記載された液晶表示素子（液晶表示装置）には、明るさ等を向上させる目的で、住友３Ｍ社製の輝度向上フィルムであるＢＥＦ（商品名、Ｂｒｉｇｈｔｎｅｓｓ  Ｅｎｈａｎｃｅｍｅｎｔ  Ｆｉｌｍの略称）が用いられている。また、バックライトユニット側の偏光フィルム（偏光板）に光拡散手段が設けられている。【０００６】
以下、従来の液晶表示装置の構成を示す断面図である図２４に基づいて具体的な構成を説明する。すなわち、特許文献１に記載の液晶表示装置１３０は、ＴＮ（Ｔｗｉｓｔｅｄ  Ｎｅｍａｔｉｃ）液晶層１０６が、基板（透明基板）１０２ａ・１０２ｂに挟持され、さらに偏光フィルム１０１ａ・１０１ｂが設けられた構成を有している。そして、背面にはバックライトユニット１０８が配置されている。また、このバックライトユニット１０８は、反射板１１３、下拡散シート１１２、導光板１１１及びＢＥＦ１１０を主構成要素としている。【０００７】
また、前記バックライトユニット１０８側の基板１０２ｂと偏光フィルム１０１ｂとの間には、散乱物質混入膜１０９が設けられている。【０００８】
（特許文献２）
つぎに、特許文献２に記載された技術について説明する。【０００９】
特許文献２に記載された液晶表示装置では、ツイスト配向したネマチック液晶（液晶層）を挟持してなる液晶素子（液晶表示素子）において、偏光板と導光板との間に設けられた散乱層が、偏光状態をほぼ維持する特性を備えている。【００１０】
そして、かかる構成によって、明るい表示の実現を可能としている。【００１１】
（特許文献３）
つぎに、特許文献３に記載された技術について、図２５に基づいて説明する。図２５は、特許文献３に記載された液晶表示装置の構成を示す断面図である。【００１２】
図２５に示すように、特許文献３に記載された液晶表示装置２３０は、液晶表示素子２０１とバックライト（バックライトユニット）２０４とを備え、その間に、２枚のレンズフィルム２０２・２０３が設けられている。そして、かかるレンズフィルム２０２・２０３は、そのプリズムの配列方向２０６・２０７が互いに直交するように重ねられ、かつ、液晶表示素子２０１側のレンズフィルム２０２のプリズムの配列方向２０６が、液晶表示素子２０１の入射光側の偏光板の透過軸２０５と平行である。【００１３】
そして、かかる構成によって、高輝度な表示を実現している。【００１４】
（特許文献４）
つぎに、特許文献４に記載された技術について図２６に基づいて説明する。図２６は、特許文献４に記載された液晶表示装置の構成を示す断面図である。【００１５】
図２６に示すように、特許文献４に記載された液晶表示装置３３０は、入射偏光板（偏光板）３０５と出射偏光板（偏光板）３０６とに挟まれた液晶パネル３０４と、その背後に設けられたバックライト用光源（光源）３０１とを備え、さらに、入射偏光板３０５とバックライト用光源３０１との間にプリズムシート３０８が設けられている。【００１６】
そして、前記プリズムシート３０８の稜線方向Ａ０と入射偏光板３０５の透過軸方向Ｂ０とが直交しており、かかる構成によって、高輝度化を実現している。【００１７】
（特許文献５）
つぎに、特許文献５に記載された技術について説明する。【００１８】
特許文献５に記載された液晶表示装置では、バックライトユニットにおける面導光体（導光板）の光出射面側に、偏光成分を選択的に反射・透過することができる偏光分離面等が設けられている。【００１９】
そして、かかる構成によって、特に表示面の法線方向の輝度を向上させている。
【特許文献１】日本国公開特許公報「特開２００３−１２１８４７号公報（公開日：２００３年４月２３日）」
【特許文献２】日本国公開特許公報「特開２００３−１５１３３号公報（公開日：２００３年１月１５日）」
【特許文献３】日本国公開特許公報「特開平８−２２０００号公報（公開日：１９９６年１月２３日）」
【特許文献４】日本国公開特許公報「特開２０００−１２２０４６号公報（公開日：２０００年４月２８日）」
【特許文献５】日本国公開特許公報「特開２００３−８４２８３号公報（公開日：２００３年３月１９日）」
【発明の開示】
【００２０】
しかしながら、上記従来の液晶表示装置は、コントラストが十分ではないという問題点を有している。
【００２１】
特には、例えばＭＶＡモードの液晶表示素子のような高コントラストでの表示が可能な液晶表示素子が用いられた液晶表示装置では、前記液晶表示素子が有している高コントラスト特性を十分に発揮させることが困難であった。以下、説明する。
【００２２】
（液晶表示装置の構成）
図２３は、液晶表示装置１０の一構成例の概略を示す断面図である。
【００２３】
図２３に示すように、液晶表示装置１０は、液晶表示素子２０と、その背後に設けられたバックライトユニット６０とからなる。
【００２４】
そして、前記液晶表示素子２０は、液晶層２２が第１基板２４と第２基板２６とに挟まれた構造を有している。また、前記第１基板２４には第１位相差板３０及び第１偏光板３４が順に設けられており、他方前記第２基板２６には、同様に第２位相差板３２及び第２偏光板３６が順に設けられている。
【００２５】
さらに、前記第１偏光板３４と、前記バックライトユニット６０との間には輝度向上フィルム４０が設けられている。
【００２６】
また、前記バックライトユニット６０には、光源（図示せず）、導光板（図示せず）、２枚のプリズムシート（第１プリズムシート６６と第２プリズムシート６８）、及び、上拡散シート７０が備えられている。
【００２７】
（光の進行プロセス）
つぎに、前記液晶表示装置１０における光の進行プロセスについて説明する。
【００２８】
すなわち、バックライトユニット６０から、前記液晶表示素子２０に向かって垂直に出射された光（図２３に示すＬ１）は、液晶層２２のオン・オフにしたがって液晶表示装置１０の外部に出射されるか否かが切り換えられる。すなわち、液晶層２２がオンの場合は、光Ｌ１は液晶表示素子２０で遮断されず、液晶表示装置１０の外部に出射される。
【００２９】
他方、液晶層２２がオフの場合には、光Ｌ１は液晶表示素子２０で遮断され、液晶表示装置１０の外部には出射されない。
【００３０】
そして、前記液晶層２２がオンの場合の出射光の強度（オン強度）と、前記液晶層２２がオフの場合の出射光の強度（オフ強度）との比（オン強度／オフ強度）がコントラスト値となる。
【００３１】
そして、通常、液晶表示素子２０に対して垂直な方向で入射した光Ｌ１は、前記液晶層２２のオン・オフにしたがい、高いオン強度及び低いオフ強度を実現することができる。
【００３２】
特に液晶表示素子２０が例えば前記ＭＶＡモードの液晶表示素子２０のような高コントラストでの表示が可能な液晶表示素子２０である場合には、前記垂直方向の光Ｌ１において、例えばコントラスト値数千を実現することができる。
【００３３】
（垂直方向からの光）
ここで、高いコントラスト値を実現するためには、特に、液晶層２２がオフの際のオフ強度を低下させることが重要である。
【００３４】
この点、液晶表示素子２０に対して垂直な方向から入射した光Ｌ１は、低いオフ強度を実現しやすい。
【００３５】
これは、液晶表示素子２０に対して垂直な方向から入射する光Ｌ１は、前記各偏光板（第１偏光板３４・第２偏光板３６）、前記各位相差板（第１位相差板３０・第２位相差板３２）及び液晶層２２等に垂直に入射するため、当初の設計通りに光Ｌ１が変化・進行することによる。
【００３６】
（傾斜光）
これに対し、例えば前記バックライトユニット６０から斜め方向に出射し、前記液晶表示素子２０に対して斜め方向から入射する光（以下傾斜光）Ｌ２は、前記光Ｌ１とは相違し、コントラスト値低下の要因となる場合がある。以下説明する。
【００３７】
すなわち、液晶層２２がオフにされた状態において、前記液晶表示装置１０をその正面方向（以下法線方向）から観る観者Ｖに対し、通常、前記傾斜光Ｌ２は、観者Ｖの目には入らない。
【００３８】
そのため、前記傾斜光Ｌ２により、法線方向で観測されるコントラストが低下することはないと考えられていた。
【００３９】
（光の折れ曲がり）
しかしながら、前記傾斜光Ｌ２の進行方向が変化する場合がある。具体的には、前記光Ｌ２の光路が、前記液晶表示素子２０内で折れ曲がり、前記観者Ｖの方向に進む場合がある（図２３の矢印Ｌ３参照）。
【００４０】
この光が液晶表示素子２０内で折れ曲がる原因としては、種々の理由が考えられるが、例えば、液晶層２２内での散乱や、カラーフィルター（図示せず）内での散乱や、ＴＦＴ基板（図示せず）での散乱などが挙げられる。
【００４１】
このため、前記液晶表示素子２０に対して傾斜光Ｌ２は、液晶層２２がオフの状態であっても、ある程度の明るさを有して前記液晶表示素子２０から法線方向（図２３の矢印Ｌ３の方向）に出射してしまう。
【００４２】
すなわち、傾斜光Ｌ２は、法線方向で観測されるコントラストに影響を及ぼさないと考えていたが、上記の光Ｌ２は、液晶表示素子２０内で進行方向の折れ曲がり（散乱）が発生するため、傾斜光Ｌ２の一部の光が法線方向出射し、これが、法線方向で観測されるコントラストを低下させてしまう。
【００４３】
詳しくは、液晶表示素子２０に対して、法線方向から入射する光Ｌ１と、傾斜光Ｌ２とでは、各光学板（位相差板や偏光板など）や液晶層２２等を透過する際の光路長が相違し、光学的な変化量が異なる。このため、光Ｌ１とＬ２とで、コントラストが異なる。一般的には、コントラストは、法線方向が良好となるように設計されているので、法線方向から入射する光Ｌ１と、傾斜光Ｌ２とでは、Ｌ２の方がコントラストが低い。
【００４４】
具体的には、前記液晶表示素子２０における位相差板（第１位相差板３０・第２位相差板３２）や偏光板（第１偏光板３４・第２偏光板３６）や液晶層２２等は、前記液晶表示素子２０に対して法線方向から入射した光に対して、その前記オン強度及びオフ強度が最適化、すなわちオン強度が多く、オフ強度が少なくなるように設計されている。
【００４５】
特にオフ強度に関して、液晶表示素子２０に対して略法線方向から入射した光について、その光が最大に遮断されるように、液晶表示素子２０は光学設計されている。
【００４６】
したがって、かかる液晶表示素子２０に対して法線方向から入射しない傾斜光Ｌ２は、液晶層２２がオフ状態であっても、十分には遮断されず、その結果、光漏れとして液晶表示素子２０から斜め方向Ｌ２に出射される。
【００４７】
しかし、前述のとおり、斜めから入射したＬ２は液晶表示素子２０内で散乱されて、光の一部が法線方向に出射する（光漏れ）。
【００４８】
そして、かかる光漏れは、上記高コントラストでの表示が可能な液晶表示素子が備えられた液晶表示装置においては、特に問題となっていた。
【００４９】
（プリズムシート）
また、液晶表示装置に対しては、高コントラストでの表示のみならず、高輝度での表示が要求される。
【００５０】
そこで、この要求を満たすために、上記の通り、バックライトユニット６０にプリズムシートが備えられる場合がある。
【００５１】
ここで、プリズムシートとは、かかるシートを透過した光の進行方向を制御するためのシートであり、例えば、その表面に、一定方向の溝が形成されてなる光学シートなどを意味する。
【００５２】
そして、かかるプリズムシートを透過した光は、その強度に関して一定の指向性を有している。
【００５３】
そのため、液晶表示素子と、プリズムシートが備えられたバックライトユニットとの組み合わせ方によっては、液晶表示素子の有するコントラスト性能を十分に発揮させることができず、コントラストが低下する場合があった。
【００５４】
そこで本発明は、前記の問題点に鑑みてなされたものであり、その目的は、面光源としての機能を維持した上で、より高コントラストでの表示を可能とする液晶表示装置を提供することにある。
【００５５】
より具体的には、液晶表示素子に入射し、コントラスト低下の要因となる前記傾斜光の強度を抑制することが可能な液晶表示装置を提供することにある。
【００５６】
さらには、プリズムシートが備えられたバックライトユニットにおいて、より高コントラストでの表示を可能とする液晶表示装置を提供することにある。
【００５７】
本発明の液晶表示装置は、前記課題を解決するために、
液晶層と、前記液晶層の両側に設けられた入射側偏光板及び出射側偏光板とが備えられた液晶表示素子と、
出射面から出射する光が前記液晶表示素子に入射するバックライトユニットとが備えられた液晶表示装置であって、
前記液晶表示素子に対して傾斜した方向から入射する光のうち、前記液晶表示素子の法線方向から出射しやすい方向からの入射光の強度が弱くなるように、前記バックライトユニットが配設されていることを特徴とする。
【００５８】
また、本発明の液晶表示装置は、
前記バックライトユニットには、導光板と、拡散シートと、少なくとも１枚のプリズムシートとが備えられていてもよい。
【００５９】
前記の構成によれば、面光源としての機能を維持した上で、より高コントラストでの表示を可能とする液晶表示装置を得ることができる。以下説明する。
【００６０】
（液晶表示素子の設計）
バックライトユニットから出射した光が入射する液晶表示素子は、液晶表示素子の裏面の法線方向から光が入射し、その光が表面から略法線方向に出射する場合に、そのコントラストが最大となるように設計されている。具体的には、液晶表示素子に備えられる偏光板や位相差板などの光学部材、及び液晶層等の光学特性などが、かかる場合のコントラストが高くなるように設計されている。
【００６１】
（面光源としてのバックライトユニット）
他方、液晶表示素子の表示において、面内で均一な明るさを有する表示を実現するために、バックライトユニットには、その出射面において、面内均一な光を出射することが望まれている。言い換えると、バックライトユニットには、面光源としての機能が要求されている。
【００６２】
そして、バックライトユニットには、前記面光源として機能するために、光を拡散させるための拡散シート（例えば、上拡散シート、下拡散シート、又は、上拡散シート及び下拡散シート）を設けることもできる。例えばかかる構成では、バックライトユニットの出射面から出射する光は、前記拡散シートで拡散することで、通常、種々の方向を向いている。
【００６３】
したがって、バックライトユニットから出射し、液晶表示素子に入射する光には、法線方向から入射する光のみならず、法線方向から傾斜した方向から入射する光（傾斜光）も含まれることになる。
【００６４】
（コントラスト低下）
そして、先に説明した通り、液晶表示素子のコントラスト設計は、法線方向から入射した光を前提としているため、前記傾斜光が、例えば、前記液晶表示素子内部で散乱し、液晶表示素子の法線方向に出射した場合には、その出射光は所望の明るさ（白又は黒）を有しておらず、その結果、コントラストの低下を招きやすい。
【００６５】
さらに、同じ角度だけ傾斜した光であっても、その傾斜する方向によって、コントラストの低下を誘発する度合いが異なる。
【００６６】
以下、その一例について述べる。すなわち、例えば、吸収軸方向が互いに直交するように２枚の偏光板が設けられた液晶表示素子においては、その吸収軸と平行な方位及びその吸収軸と垂直な方位に向かって傾斜した方向から入射した光は、液晶表示素子の法線方向に出射されにくい。
【００６７】
これに対して、前記吸収軸と平行な方位及びそれと垂直な方位以外の方位に向かって傾斜した方向から入射した光は、液晶表示素子の法線方向に出射されやすい。
【００６８】
したがって、前記吸収軸と平行な方位及びそれと垂直な方位以外の方位に向かって傾斜した方向から入射した光は、前記吸収軸と平行な方位及びそれと垂直な方位に向かって傾斜した方向から入射した光に比べて、コントラスト低下の原因となりやすい。
【００６９】
以上のように、傾斜光が液晶表示素子の法線方向から出射する度合いは、傾斜光の傾斜する方向によって異なる。
【００７０】
この点、前記の構成では、傾斜した方向から入射する光のうち、前記液晶表示素子の法線方向から出射されやすい方向からの入射光の強度が弱くなるように、前記バックライトユニットが配設されている。
【００７１】
以上より、上記構成は、面光源としての機能を維持した上で、より高コントラストでの表示を可能とする液晶表示装置を提供することができるという効果を奏する。
【００７２】
なお、前記「方位」とは、例えば前記入射側偏光板等において、その面内における吸収軸等の回転角度を意味し、液晶表示装置を出射側から見た場合において、左回り方向を正方向とする。
【００７３】
また、本発明の液晶表示装置は、
前記液晶表示素子と前記バックライトユニットとの間に、輝度向上フィルムが備えられていてもよい。
【００７４】
前記の構成によれば、輝度向上フィルムが設けられているためコントラストが低下しやすいところ、前記傾斜光のうち、前記液晶表示素子の法線方向から出射されやすい傾斜光の強度が抑制されているので、高コントラストでの表示が可能となる。
【００７５】
なお、前記輝度向上フィルムとは、例えば、当該輝度向上フィルムに到達した偏光をｐ波とｓ波とに分けた場合、そのうちの一方の偏光のみ、例えばｐ波のみを透過させる。そして、残るｓ波を反射させて、例えば隣接する偏光板に対する入射光を増加させる作用等を有するフィルムのことを意味する。
【００７６】
また、本発明の液晶表示装置は、
前記液晶表示素子と前記バックライトユニットとが近接して配置されていることが好ましい。
【００７７】
また、本発明の液晶表示装置は、
前記液晶表示素子と前記バックライトユニットとの間隔が、０ｍｍ以上１０ｍｍ以下であることが好ましい。
【００７８】
前記の構成によれば、液晶表示素子とバックライトユニットとが近接している、具体的には、例えばその間隔が０ｍｍ以上１０ｍｍ以下である。
【００７９】
そのため、液晶表示素子とバックライトユニットとの間の距離が小くなると、特にはそれらが接すると、前記傾斜光に起因するコントラストの低下が大きくなりやすいところ、前記の構成によれば、バックライトユニットが適切に配置されているので、上記コントラストの低下を抑制することができる。
【００８０】
また、本発明の液晶表示装置は、
前記傾斜光が法線方向から出射しやすい方向における方位と、前記プリズムシートのプリズム軸とのなす角が、２０度以上７０度以下、又は、１１０度以上１６０度以下であることが好ましい。
【００８１】
ここで、プリズムシートとは、かかるシートを透過した光の進行方向を制御するために、その表面に一定方向の溝が形成されてなる光学シートを意味する。そして、プリズム軸とは、前記溝の方向をさす。
【００８２】
前記の構成によれば、プリズム軸と、前記傾斜光のうち法線方向から出射しやすい方向における方位とのなす角が、２０度以上７０度以下、又は、１１０度以上１６０度以下である。したがって、コントラストの低下をより抑制することができる。以下、説明する。
【００８３】
すなわち、バックライトユニットにプリズムシートが備えられた場合、プリズムシートが光の進行方向を制御するために、その出射光の強度について、一定の方向性が付与される。具体的には、バックライトユニットの前記出射面から傾斜して出射する光について、プリズムシートのプリズム軸と平行な方位に向かって傾斜する光の方が、前記プリズム軸と直交する方位に向かって傾斜する光よりも強くなる。
【００８４】
そして、上記構成においては、傾斜した出射光が強くなるプリズム軸の方位と、法線方向から出射されやすい傾斜光の方位とがずれている。具体的には、なす角が、２０度以上７０度以下、又は、１１０度以上１６０度以下とされている。
【００８５】
したがって、バックライトユニットから出射した光がコントラスト低下の要因となる傾斜光となりにくい。
【００８６】
よって、前記の構成では、液晶表示素子の法線方向の明るさを向上させる等のために、バックライトユニットにプリズムシートが設けられている液晶表示装置においても、コントラストの低下を抑制することが容易になる。
【００８７】
また、本発明の液晶表示装置は、
前記液晶表示素子が直線偏光タイプの垂直配向モードであり、
前記入射側偏光板の吸収軸と前記プリズムシートのプリズム軸とのなす角が、−２５度以上２５度以下、又は、６５度以上１１５度以下であることが好ましい。
【００８８】
さらには、前記直線偏光タイプの垂直配向モードにおいて、前記入射側偏光板の吸収軸と前記プリズムシートのプリズム軸とのなす角は、−１５度以上１５度以下、又は、７５度以上１０５度以下であることが好ましい。
【００８９】
さらには、前記直線偏光タイプの垂直配向モードにおいて、前記入射側偏光板の吸収軸と前記プリズムシートのプリズム軸とのなす角が、−５度以上５度以下、又は、８５度以上９５度以下であることがより好ましい。
【００９０】
また、本発明の液晶表示装置は、
前記液晶表示素子が円偏光タイプの垂直配向モードであり、
前記入射側偏光板の吸収軸と前記プリズムシートのプリズム軸とのなす角が、−４３度以上７度以下、又は、４７度以上９７度以下であることが好ましい。
【００９１】
さらには、前記円偏光タイプの垂直配向モードにおいて、前記入射側偏光板の吸収軸と前記プリズムシートのプリズム軸とのなす角が、−３３度以上−３度以下、又は、５７度以上８７度以下であることが好ましい。
【００９２】
さらには、前記円偏光タイプの垂直配向モードにおいて、前記入射側偏光板の吸収軸と前記プリズムシートのプリズム軸とのなす角が、−２３度以上−１３度以下、又は、６７度以上７７度以下であることがより好ましい。
【００９３】
また、本発明の液晶表示装置は、
前記液晶表示素子がＴＮモードであり、
前記入射側偏光板の吸収軸と前記プリズムシートのプリズム軸とのなす角が、−２５度以上２５度以下、又は、６５度以上１１５度以下であることが好ましい。
【００９４】
さらには、前記ＴＮモードにおいて、前記入射側偏光板の吸収軸と前記プリズムシートのプリズム軸とのなす角が、−１５度以上１５度以下、又は、７５度以上１０５度以下であることが好ましい。
【００９５】
さらには、前記ＴＮモードにおいて、前記入射側偏光板の吸収軸と前記プリズムシートのプリズム軸とのなす角が、−５度以上５度以下、又は、８５度以上９５度以下であることがより好ましい。
【００９６】
前記の各構成においては、各液晶表示素子の構成に応じて、偏光板の吸収軸とプリズムシートのプリズム軸とのなす角が最適になるようにバックライトユニットが設けられている。
【００９７】
そのため、傾斜光が液晶表示装置の法線方向から出射にしにくくなり、コントラストの低下をより効果的に抑制することができる。
【００９８】
特には、前記液晶表示素子が、直線偏光タイプの垂直配向モードとして構成されている場合には、当該液晶表示素子は一般に高コントラストでの表示が可能であるところ、かかる高コントラストの低下を抑制することができる。
【００９９】
また、本発明の液晶表示装置は、
前記バックライトユニットには、プリズムシートが２枚、そのプリズム軸の方位が直交するように設けられていることが好ましい。
【０１００】
前記の構成によれば、プリズムシートが２枚、その溝方向が直交するように形成されているので、液晶表示装置の法線方向において、より明るい出射を実現することができる。
【０１０１】
また、本発明の液晶表示装置は、
前記バックライトユニットの出射面から出射する光の半値幅が２８度以上４４度以下であることが好ましい。
【０１０２】
また、本発明の液晶表示装置は、
前記半値幅が２０度以上４０度以下であることが好ましい。
【０１０３】
（半値幅）
はじめに、上記半値幅について説明する。すなわち、バックライトユニットなど半値幅を測定する測定サンプルについて、その出射面から法線方向に出射した光に対して光の強度が半分になる傾斜角度を半値幅（度）とする。これは、出射される光の強度が、法線方向から傾斜するにつれ弱くなるとの特性に基づくものである。
【０１０４】
前記の構成よれば、バックライトユニットの半値幅が４４度以下、好ましくは、２０度以上４０度以下であるため、面光源としての機能を維持した上で、より高コントラストでの表示を可能とする液晶表示装置を実現することができる。
【０１０５】
すなわち、前記の構成のバックライトユニットは、出射光の拡散特性示す半値幅が、適切な値に設定されているので、出射光が面光源として機能するための散乱性を有した上で、前記コントラスト値の低下を招く斜め方向に出射する光の強度が抑制されている。その結果、液晶表示装置のコントラストの低下をより抑制することができる。
【０１０６】
本発明の液晶表示装置は、以上のように、液晶表示素子に対して傾斜した方向から入射する光のうち、前記液晶表示素子の法線方向から出射しやすい方向からの入射光の強度が弱くなるように、バックライトユニットが配設されている。
【０１０７】
それゆえ、面光源としての機能を維持した上で、より高コントラストでの表示を可能とする液晶表示装置、より具体的には、液晶表示素子に入射し、コントラスト低下の要因となる傾斜光の強度を抑制することが可能な液晶表示装置を提供するこができるという効果を奏する。
【図面の簡単な説明】
【０１０８】
【図１】本発明の実施の形態を示すものであり、液晶表示装置の断面図である。
【図２】本発明の実施の形態を示すものであり、液晶表示装置の要部斜視図である。
【図３】透過光に関する光学特性の測定系を示す図である。
【図４】極角と透過光の強度との関係を示す図である。
【図５】入射角度と透過光の強度との関係を示す図である。
【図６】バックライトユニットからの出射光に関する光学特性の測定系を示す図である。
【図７】バックライトユニットからの出射光の強度を示す図である。
【図８】プリズム軸と光の強度との関係を示す図である。
【図９】本発明の他の実施の形態を示すものであり、液晶表示装置の断面図である。
【図１０】バックライトユニットからの出射光の強度を示す図である。
【図１１】半値幅等の測定サンプルの概略構成を示す断面図である。
【図１２】液晶表示素子からの出射光の強度を示す図である。
【図１３】液晶表示装置からの出射光について、輝度向上フィルムの有無による差を示す図である。
【図１４】液晶表示装置の正面コントラストを示す図である。
【図１５】バックライトユニットの強度分布を示す図である。
【図１６】本発明の実施の形態を示すものであり、液晶表示装置の要部斜視図である。
【図１７】液晶表示装置の要部斜視図である。
【図１８】本発明の他の実施の形態を示すものであり、液晶表示装置の要部斜視図である。
【図１９】本発明の他の実施の形態を示すものであり、液晶表示装置の要部斜視図である。
【図２０】各液晶モードにおける光の散乱特性を示す図である。
【図２１】垂直配向モードにおける、円偏光タイプと直線偏光タイプとの相違を示す図である。
【図２２】各液晶モードにおいて、傾斜光の入射を抑制すべき方位角を示す図である。
【図２３】液晶表示装置の概略構成を示す断面図である。
【図２４】従来技術を示すものであり、液晶表示素子の構成を示す断面図である。
【図２５】従来技術を示すものであり、液晶表示素子の構成を示す断面図である。
【図２６】従来技術を示すものであり、液晶表示素子の構成を示す断面図である。
【符号の説明】
【０１０９】
１０    液晶表示装置
２０    液晶表示素子
２２    液晶層
３４    第１偏光板          （入射側偏光板）
Ｈ１    吸収軸方向          （吸収軸）
３６    第２偏光板          （出射側偏光板）
Ｈ２    吸収軸方向          （吸収軸）
４０    輝度向上フィルム
６０    バックライトユニット
６４    導光板
６６    第１プリズムシート  （プリズムシート）
６７    溝
Ｐ１    溝方向              （プリズム軸）
６８    第２プリズムシート  （プリズムシート）
６９    溝
Ｐ２    溝方向              （プリズム軸）
７０    上拡散シート        （拡散シート）
７２    下拡散シート        （拡散シート）
８０    出射面
Ｒ    配向領域
【発明を実施するための最良の形態】
【０１１０】
〔実施の形態１〕
本発明の一実施の形態について各図に基づいて説明すると以下の通りである。【０１１１】
（液晶表示装置）
本発明の液晶表示装置１０は、先に図２３に基づいて説明した液晶表示装置１０とほぼ同様の構成を有している。以下、本実施の形態の液晶表示装置１０の概略構成を示す断面図である図１に基づいて説明する。【０１１２】
すなわち、本発明の前記液晶表示装置１０は、主に液晶表示素子２０とバックライトユニット６０とから構成されている。そして、バックライトユニット６０の出射面８０から出射された光が液晶表示素子２０に入射することにより、表示が行われる。【０１１３】
（液晶表示素子）
まず、前記液晶表示素子２０について説明する。本実施の形態の液晶表示素子２０は、いわゆる垂直配向モードにおける直線偏光タイプとして構成されている。【０１１４】
すなわち、対向する２枚の基板（図示せず）に挟持された液晶層２２は、入射側偏光板としての第１偏光板３４及び出射側偏光板としての第２偏光板３６に挟まれており、前記液晶層２２に含まれる液晶分子は、平面視において、例えば４分割配向等の分割配向をしている。【０１１５】
（バックライトユニット）
つぎに、本実施の形態におけるバックライトユニット６０について説明する。本実施の形態におけるバックライトユニット６０には、光源（図示せず）と、前記図１に示すように、導光板６４、２枚の拡散シート（上拡散シート７０と下拡散シート７２）、及び、２枚のプリズムシート（第１プリズムシート６６と第２プリズムシート６８）とが備えられている。【０１１６】
そして、前記各部材は、導光板６４、下拡散シート７２、第１プリズムシート６６、第２プリズムシート６８、上拡散シート７０の順に重ねられている。ここで、上拡散シート７０はヘイズ値＝５５．０％の拡散シートを用い、他方下拡散シート７２は、ヘイズ値＝７４．５％の拡散シートを用いた。【０１１７】
（プリズムシート）
詳しくは、図２に示すように、前記バックライトユニット６０において、前記第１プリズムシート６６と第２プリズムシート６８とには、その表面にそれぞれ三角形状の山と谷とからなる直線状の溝、すなわち前記第１プリズムシート６６には溝６７が、他方前記第２プリズムシート６８には溝６９が各々形成されている。【０１１８】
そして、前記第１プリズムシート６６と前記第２プリズムシート６８とでは、前記溝の方向（図２に示す両矢印Ｐ１及び両矢印Ｐ２）が直交している。【０１１９】
（方位）
以下、方位角（φ）を用いて、より具体的に説明する。【０１２０】
およそ長方形状の液晶表示装置１０において、その長手方向（図２に示す両矢印Ｌ）とその短手方向（図２に示す矢印Ｓ）とで直交座標を形成し、図２に示すように、前記両矢印Ｌ方向を０度・１８０度とし、前記両矢印Ｓ方向を９０度・２７０度とする。【０１２１】
そして、前記０度位置からの、反時計回り方向における回転角（０度とのなす角）を方位角（φ）とする。【０１２２】
かかる場合、本実施の形態における前記第１プリズムシート６６の溝６７の方向Ｐ１（溝方向、プリズム軸）は方位角（φ）＝９０度・２７０度方向（以下９０度方向）であり、他方、前記第２プリズムシート６８の溝６９の方向Ｐ２は方位角（φ）＝０度・１８０度方向（以下０度方向）である。【０１２３】
（偏光板）
つぎに、本実施の形態の液晶表示装置１０における偏光板の設置方向について説明する。【０１２４】
本実施の形態においては、前記第１偏光板３４は、その吸収軸方向（図２の両矢印Ｈ１）が、前記長手方向Ｌと平行な方向、すなわち方位角（φ）＝０度の方向に向くように設置されている。【０１２５】
そして、前記液晶層２２を介して、前記第２偏光板３６は、その吸収軸方向（図２の両矢印Ｈ２）が、前記短手方向Ｓと平行な方向、すなわち方位角（φ）＝９０度の方向に向くように設置されている。【０１２６】
すなわち、２枚の偏光板（第１偏光板３４と第２偏光板３６）は、その吸収軸が直交するように、いわゆるクロスニコル配置されている。【０１２７】
（プリズムシートと偏光板）
そして、本実施の形態においては、以上説明したように、互いに近接するプリズムシートと偏光板同士、すなわち第２プリズムシート６８と第１偏光板３４とにおいて、そのプリズム軸Ｐ２と吸収軸方向Ｈ１とは、ともに方位角（φ）＝０度方向を向いており、平行の関係にある。【０１２８】
すなわち、第１プリズムシート６６のプリズム軸Ｐ１は方位角（φ）＝９０度方向、第２プリズムシート６８のプリズム軸Ｐ２は方位角（φ）＝０度方向、第１偏光板３４の吸収軸方向Ｈ１は方位角（φ）＝０度方向、第２偏光板３６の吸収軸方向Ｈ２は方位角（φ）＝９０度方向となっている。【０１２９】
（プリズムシート）
ここで、前記プリズムシートに関して、より詳しく説明する。【０１３０】
液晶表示装置１０に対しては、一般に明るい表示が望まれる。特には、液晶表示装置１０をその法線方向から見る観者Ｖに対して、その表示輝度が高いことが望まれる。【０１３１】
そして、前記法線方向に対して明るい表示を行うためには、バックライトユニット６０からの出射光を、かかる法線方向に主に出射させることが効果的である。そこで、バックライトユニット６０からの出射光を法線方向に集めるために、前記プリズムシートが用いられる。【０１３２】
ここで、前記プリズムシートとは、かかるシートを透過した光の進行方向を制御することが可能な光学シートであり、例えば、その表面に、一定方向の溝が形成されてなる光学シートなどを意味する。【０１３３】
そして、本実施の形態においては、溝方向（プリズム軸）Ｐ１・Ｐ２が互いに直交するように２枚のプリズムシート６６・６８が設けられている。したがって、バックライトユニット６０における短手方向Ｓ及びその長手方向Ｌの何れの方向においても、バックライトユニット６０から出射する光を、その法線方向に集光させることができる。【０１３４】
よって、前記液晶表示装置１０は、より明るい表示を実現することができる。【０１３５】
（コントラスト）
また、前記液晶表示装置１０に対しては、前記明るい表示に並んで、高コントラストの表示も望まれる。そこで、つぎに、液晶表示装置１０のコントラストについて説明する。【０１３６】
先に説明したとおり、液晶表示装置１０の観者Ｖは、一般に、液晶表示装置１０の法線方向から液晶表示装置１０を観る。そのため、液晶表示装置１０に備えられた液晶表示素子２０は、主に、前記法線方向で、高コントラストの表示が可能なように設計されている。すなわち、液晶表示素子２０は、その裏面に対し法線方向から入射し、その表面からその法線方向に出射する光において、高いコントラストが実現されるように設計されている。【０１３７】
そのため、液晶表示素子２０に入射する傾斜光は、コントラストを低下させる要因となる場合がある。【０１３８】
そして、このような傾斜光に起因するコントラストの低下は、高コントラストな表示が可能な、例えばＭＶＡモードの液晶表示素子２０が備えられた液晶表示装置１０等においてより顕著となっている。【０１３９】
（コントラストの低下、パネルの影響）
ここで、傾斜光によるコントラストの低下について、より詳しく説明する。【０１４０】
先に説明した通り、バックライトユニット６０から出射した光は、２枚の偏光板と、かかる偏光板に挟まれた液晶層と通過して観者Ｖに至る。【０１４１】
そこで、前記傾斜光に起因する光漏れに対する、液晶表示パネルの影響について説明する。ここで、前記液晶表示パネルとは、前記液晶表示素子２０において、２枚の偏光板（第１偏光板及び第２偏光板）を取り除いたものを意味する。具体的には、液晶層２２が、カラーフィルターやスイッチング素子などが作りこまれた２枚の基板によって挟持されてなるものを意味する。【０１４２】
図４は、２種類の測定サンプル（第１及び第２の測定サンプル、以下に詳述）について、傾斜光に対する測定サンプルの表示面に対して法線方向の光の強度を示す図である。【０１４３】
（測定系）
ここで、まず、前記透過強度等の光学特性を測定するための測定系について、図３の（ａ）及び（ｂ）に基づいて説明する。図３の（ａ）及び（ｂ）は、透過光の強度等、光学特性を測定するための測定系を示す図である。【０１４４】
図３の（ａ）に示すように、上記光学特性を測定するための測定系では、測定サンプルの裏面から光を入射し、測定サンプルを透過した光を、測定サンプルの表面に設けられた受光器によって受光し、その強度を測定する。【０１４５】
ここで、図３の（ａ）に示すように、測定サンプル平面について、法線方向からの傾斜角度を極角（θ）とし、図３の（ｂ）に示すように、測定サンプル平面について、その平面上における左右横方向からの左周りの回転角度を方位角（φ）とする。【０１４６】
そして、前記測定系において、入射光の入射方向は、図３の（ａ）に示すように、極角（θ）方向に傾斜させることができるとともに、その傾斜させた状態で、前記方位角（φ）の方向に回転させることができる。【０１４７】
他方、受光器は、極角（θ）＝０度（方位角（φ）＝０度）の位置、言い換えると測定サンプル平面の法線方向に固定されている。【０１４８】
なお、上述のような測定を行うための測定器としては、特には限定されないが、例えば大塚電子製のＬＣＤ５２００（商品名）を用いて測定を行うことができる。【０１４９】
（入射角度と透過光の強度）
つぎに、上記測定系を用いて測定した、下記２種類の測定サンプル（第１及び第２の測定サンプル）における、傾斜光に対する透過光の強度について、前記図４に基づいて説明する。【０１５０】
ここで、第１の測定サンプルは、ガラス基板の両面に各々偏光板が１枚づつ、互いの偏光板の吸収軸が直交するように貼合されたもの（図４における、「ガラス＋偏光板」））であり、第２の測定サンプルは、液晶表示素子（前記液晶表示パネルに偏光板が貼合されたもの（図４における、「パネル＋偏光板」）である。【０１５１】
そして、図４は、かかる２つの測定サンプルについて、入射光の角度（極角（θ））と、透過光の強度との関係を示している。【０１５２】
なお、前記「ガラス＋偏光板」及び「パネル＋偏光板」の何れにおいても、前記２枚の偏光板の配置は、２枚の偏光板の吸収軸が互いに直交するクロスニコル配置とした。具体的には、裏偏光板（測定の際、入射側に位置する偏光板。第１偏光板３４に相当。）の吸収軸は方位角（φ）＝０度の方向に向けられている。他方、表偏光板（測定の際、出射側に位置する偏光板。第２偏光板３６に相当。）の吸収軸は方位角（φ）＝９０度の方向に向けられている。【０１５３】
また、前記裏偏光板のさらに外側には、輝度向上フィルムとして、日東電工社製のＡ−ＰＣＦ（Ｐｏｌａｒｉｚａｔｉｏｎ  Ｃｏｎｖｅｒｓｉｏｎ  Ｆｉｌｍ）（商品名）が設けられている。【０１５４】
図４に透過光の強度を示すように、入射光をサンプルの法線方向から傾斜させていくと、２つの測定サンプル（「ガラス＋偏光板」、「パネル＋偏光板」）ともに透過光の強度は減少する。【０１５５】
ただし、その減少の割合は、「ガラス＋偏光板」の方が大きい。言い換えると、「ガラス＋偏光板」に液晶表示パネルが加えられた「パネル＋偏光板」においては、傾斜光について、法線方向（極角（θ）＝０度方向）に光が出射しやすい。【０１５６】
これは、測定サンプルに入射した光が、液晶表示パネル内部で散乱されやすく、進行方向を変化させやすいためであると考えられる。そして、このように、傾斜光が液晶表示パネル内部でのその進行方向の変化させ、法線方向に出射することによって、コントラストの低下が招かれる。【０１５７】
なお、図４に示す測定結果は、前記入射光を、方位角（φ）＝０度の方向、すなわち、裏偏光板の吸収軸と平行な方向に傾斜させたものである。【０１５８】
（入射光のθ、φ依存性）
つぎに、傾斜光の法線方向への透過のしやすさについて、特にその方位角（φ）依存性を、図５に基づいて説明する。図５は、前記「パネル＋偏光板」と同様の測定サンプルについて、入射光の極角（θ）と方位角（φ）とを変化させた場合の、前記透過光の強度を示す図である。【０１５９】
すなわち、図５に示す測定に用いた測定サンプルは、液晶表示パネルの両面（表裏面）に偏光板がクロスニコル配置で貼合されたものであり、また、裏偏光板（測定の際、入射側に位置する偏光板）の吸収軸は、方位角（φ）＝０度の方向に、他方、表偏光板（測定の際、出射側に位置する偏光板）の吸収軸は方位角（φ）＝９０度の方向に向けられている。【０１６０】
前記図５に示すように、極角（θ）＝０〜７０度の範囲内においては、ほぼすべての方位角（φ）において、傾斜光が法線方向に出射することがわかる。そして、特に、方位角（φ）＝４５度、１３５度、２２５度及び３１５度において、傾斜光が法線方向に出射しやすいことがわかる。【０１６１】
なお、測定系など、前記透過光の強度測定に関する条件等は、前記図３の（ａ）及び（ｂ）に基づいて説明した測定系等に準じている。【０１６２】
（傾斜光の挙動）
以上のように、液晶表示素子２０においては、傾斜光がその進行方向を変化させ、法線方向、すなわち、液晶表示装置１０の観者Ｖの方向に出射する場合がある。また、先に説明したとおり、前記傾斜光は、液晶表示素子２０を透過する際の光路長の相違などから、法線方向から入射する光と比べ、異なる挙動を示しやすい。具体的には、例えば液晶層２２がオフの状態（液晶層２２がオフの状態とは、液晶表示素子が黒表示をしている場合すなわち透過率が最も低くなる状態）であっても、光が十分遮断されない場合がある。【０１６３】
その結果、傾斜光が光漏れとして法線方向に出射し、観者Ｖの目に入る場合が多い。【０１６４】
したがって、高いコントラストを実現するためには、前記傾斜光が法線方向に出射しにくいようにすることが望まれる。【０１６５】
そして、コントラストをより効率的に高める（コントラストの低下を抑制する）ためには、特に前記方位角（φ）＝４５度、１３５度、２２５度及び３１５度に傾斜した方向からの光の入射を抑制することが効果的である。かかる方向から入射した光が、光漏れしやすいからである。【０１６６】
（プリズム軸と出射強度）
この点、本実施の形態の液晶表示装置１０では、プリズムシートの溝方向（プリズム軸）と偏光板の吸収軸方向とが、平行又は垂直の関係となっているので、コントラストの低下が抑制される。以下、説明する。【０１６７】
図７の（ａ）及び（ｂ）は、前記プリズム軸（プリズムシートの溝方向）と、バックライトユニット６０からの出射光の強度との関係を示す図である。【０１６８】
詳しくは、前記バックライトユニット６０からの出射光について、全方位角（φ）及び極角（θ）＝０〜８８度の範囲内において、その出射強度を測定したものである。【０１６９】
（測定系と測定サンプル）
バックライトユニット６０からの出射光の強度を測定するための測定系は、例えば図６に示すような測定系を用いることができる。【０１７０】
具体的には、例えば、視野角測定装置（ＥＺＣｏｎｔｒａｓｔＸＬ８８：仏ＥＬＤＩＭ社製）を用いて測定することができる。かかる装置では、短時間で全方位角（φ）、極角（θ）＝０〜８８°を一括して測定することができる。【０１７１】
図７の（ａ）及び（ｂ）に示す測定結果は、前記視野角測定装置で測定した結果である。【０１７２】
なお、方位角（φ）及び極角（θ）の定義は、先に説明したものと同様である。【０１７３】
つぎに、図７の（ａ）及び（ｂ）に測定に用いた測定サンプルの構成について説明する。【０１７４】
図７の（ａ）の測定に用いた測定サンプルをバックライトユニットＡ、図７の（ｂ）の測定に用いた測定サンプルをバックライトユニットＢとする。バックライトユニットＡ及びバックライトユニットＢともに、その層構成は、前記図１に示したバックライトユニット６０と同様である。【０１７５】
すなわち、バックライトユニットＡ及びバックライトユニットＢ共に、２枚のプリズムシート（第１プリズムシート６６と第２プリズムシート６８）が、その各々の溝６７・６９の溝方向（プリズム軸）Ｐ１・Ｐ２が直交するように設けられている。【０１７６】
ここで、前記バックライトユニットＡでは、第１プリズムシート６６のプリズム軸Ｐ１が方位角（φ）＝０度方向に、他方の第２プリズムシート６８のプリズム軸Ｐ２が方位角（φ）＝９０度方向に向くように構成されている。【０１７７】
これに対して、前記バックライトユニットＢでは、第１プリズムシート６６のプリズム軸Ｐ１が方位角（φ）＝４５度方向に、他方の第２プリズムシート６８のプリズム軸Ｐ２が方位角（φ）＝１３５度方向に向くように構成されている。【０１７８】
すなわち、バックライトユニットＡとバックライトユニットＢとは、直交するプリズム軸の方向が相違している。【０１７９】
（測定結果）
つぎに、上記測定の結果について、図７の（ａ）及び（ｂ）、図８の（ａ）及び（ｂ）に基づいて説明する。【０１８０】
前記図７の（ａ）に示すように、プリズム軸が方位角（φ）＝０度と９０度とになるように重ね合わされた測定サンプル（バックライトユニットＡ）では、方位角（φ）＝０度・１８０度方向、及び、方位角（φ）＝９０度・２７０度方向において、斜め方向に出射する光（極角（θ）を有して出射する光）の強度が強くなっていることがわかる。【０１８１】
また、図７の（ｂ）に示すように、プリズム軸が方位角（φ）＝４５度と１３５度とになるように重ね合わされた測定サンプル（バックライトユニットＢ）では、方位角（φ）＝４５度・２２５度方向、及び、方位角（φ）＝１３５度・３１５度方向において、斜め方向に出射する光の強度が強くなっていることがわかる。【０１８２】
以上、図７の（ａ）及び（ｂ）に示す測定結果より、バックライトユニット６０のプリズム軸の方向（方位）と出射光の強度との関係については、プリズム軸の方向と平行な方位角（φ）方向に極角（θ）を有する方向に光が出射しやすいことがわかる。【０１８３】
また、図８の（ａ）及び（ｂ）に、前記図７の（ａ）及び（ｂ）に測定結果を示した出射光の強度分布に関して、方位角（φ）＝０度方向及び方位角（φ）＝４５度方向における極角（θ）依存性を示す。【０１８４】
ここで、図８の（ａ）は前記図７の（ａ）に示す測定結果に対応し、図８の（ｂ）は前記図７の（ｂ）に示す測定結果に対応している。【０１８５】
前記図８の（ａ）に示すように、バックライトユニットＡでは、方位角（φ）＝０度方向に極角（θ）を有する方が、方位角（φ）＝４５度方向に極角（θ）を有する場合に比べて、光の強度が高くなっている。【０１８６】
また、バックライトユニットＢでは、図８の（ｂ）に示すように、方位角（φ）＝４５度方向に極角（θ）を有する方が、方位角（φ）＝０度方向に極角（θ）を有する場合に比べて、光の強度が高くなっている。【０１８７】
そして、前述の通り、バックライトユニットＡではプリズム軸は、方位角（φ）＝０度・９０度方向であるので、プリズム軸と平行な向きに傾斜した方向で、出射光の強度が高くなっていることがわかる。【０１８８】
同様に、バックライトユニットＢではプリズム軸は、方位角（φ）＝４５度・１３５度方向であるので、バックライトユニットＡの場合と同様に、プリズム軸と平行な向きに傾斜した方向で、出射光の強度が高くなっていることがわかる。【０１８９】
（プリズム軸と吸収軸）
ここで、本実施の形態の液晶表示装置１０においては、先に説明した図２に示すように、プリズムシートのプリズム軸と偏光板の吸収軸とのなす角が、平行又は垂直の関係になっている。そのため、コントラストの低下が生じにくい。以下、説明する。【０１９０】
上述の通り、前記図２に示す本実施の形態の液晶表示素子１０においては、第１プリズムシート６６のプリズム軸Ｐ１は方位角（φ）＝９０度方向、第２プリズムシート６８のプリズム軸Ｐ２は方位角（φ）＝０度方向、第１偏光板３４の吸収軸方向Ｈ１は方位角（φ）＝０度方向、第２偏光板３６の吸収軸方向Ｈ２は方位角（φ）＝９０度方向になっている。【０１９１】
（液晶表示素子の透過特性）
そして、先に図５に基づいて説明した通り、吸収軸が方位角（φ）＝０度方向と９０度方向とになるようにクロスニコル配置された２枚の偏光板において、傾斜光が法線方向から出射しやすいのは、方位角（φ）＝４５度・１３５度・２２５度・３１５度方向に傾斜した光である。【０１９２】
これに対し、方位角（φ）＝０度・９０度・１８０度・２７０度方向に傾斜した方向から入射した光は、比較的法線方向に出射されにくい。【０１９３】
（バックライトユニットの出射光の強度の角度分布）
つぎに、バックライトユニットの出射光の強度の角度分布について説明する。かかる角度分布とは、バックライトユニットからの出射する光の強度を、方位角（φ）＝０〜３６０度、極角（θ）＝０〜８８度の範囲でプロットしたものである。【０１９４】
プリズム軸が方位角（φ）＝９０度方向と０度方向とになるように２枚のプリズムシートが配置されたバックライトユニット６０からは、先に図７の（ａ）などに基づいて説明したとおり、方位角（φ）＝０度・９０度・１８０度・２７０度方向に傾斜した光が出射されやすい。【０１９５】
したがって、本実施の形態の液晶表示装置１０では、バックライトユニット６０から斜め方向の光が出射しやすい方位角（φ）（０度・９０度・１８０度・２７０度）と、傾斜光が液晶表示素子２０の法線方向から出射しやすい方位角（φ）（４５度・１３５度・２２５度・３１５度方向）とが一致しておらず、むしろ、傾斜光が液晶表示素子２０の法線方向から出射しにくい方位角（φ）（０度・９０度・１８０度・２７０度方向）と一致している。【０１９６】
したがって、先に説明した、コントラスト低下の要因になりやすい、法線方向から出射する傾斜光の強度を抑制することができる。【０１９７】
その結果、プリズムシートを用いることで法線方向における明るさを確保しながら、コントラスト値の低下を抑制することができる。【０１９８】
（面内均一性と半値幅）
つぎに、バックライトユニット６０の面内均一性と半値幅とについて説明する。【０１９９】
まず、液晶表示装置１０においては、その面内で均一な明るさの表示を実現するために、バックライトユニット６０から面内において均一な明るさを有する光が出射されることが好ましい。すなわち、バックライトユニット６０は、均一な面光源であることが好ましい。【０２００】
そして、かかる特性を実現するためには、バックライトユニット６０から出射される光の拡散性が高いことが望まれる。そして、かかる拡散特性を実現するためには、バックライトユニット６０に拡散性を有するシートである拡散シート（上拡散シート、下拡散シート、又は、上拡散シート及び下拡散シート）が備えられ、かつ、その拡散性を高くすることが考えられる。【０２０１】
（半値幅）
つぎに、バックライトユニット６０の半値幅について説明する。【０２０２】
本実施の形態におけるバックライトユニット６０は、その半値幅が３１度であるものを用いている。以下、説明する。【０２０３】
（測定系）
前記半値幅の測定は、先に説明したバックライトユニット６０からの出射光の強度を測定するための測定系を用いてすることができる。【０２０４】
すなわち、前記図６に示すように、半値幅の測定に用いる測定系では、測定サンプルから出射される光について、方位角と極角に対する光強度が、全方角と全極角にわたって測定される。そして、それに基づいて、特定方位の出射光の強度が、法線方向に出射した光の強度の半分になる傾斜角度である半値幅を求める。すなわち、傾斜方向に出射する光の強度が、法線方向に出射する光の強度の半分となる出射光の出射角度を求める。【０２０５】
なお、上述のような測定を行うための測定器としては、特には限定されないが、例えば、ＥＬＤＩＭ社製のＥＺｃｏｎｔｒａｓｔ８８（商品名）を用いて測定を行うことができる。【０２０６】
そして、バックライトユニット６０の半値幅の測定は、前記測定サンプルをバックライトユニット６０とすることにより行われる。【０２０７】
なお、方位角（φ）及び極角（θ）の定義は、先に説明したものと同様である。例えば、前記極角（θ）は、測定サンプルとしてのバックライトユニット６０の表面（出射面８０）について、法線方向からの傾斜角度を意味する。そして、測定サンプル平面について、その平面上における水平方向（左右、横方向）からの左周りの回転角度を方位角（φ）とする。【０２０８】
（上拡散シート）
本実施の形態においては、上述のように、上拡散シート７０に、バックライトユニット６０からの出射光の半値幅が３１度となるような拡散シートが用いられている。以下、具体的に説明する。【０２０９】
すなわち、前記半値幅は、前記図１に概略構成を示したバックライトユニット６０を前記測定サンプルとして測定したものである。詳しくは、導光板６４、下拡散シート７２、第１プリズムシート６６、第２プリズムシート６８、及び、上拡散シート７０が、かかる順に重ねられた状態のバックライトユニット６０で、前記光の強度の測定が行われている。【０２１０】
そして、前記入射方向を傾斜させる際の方位角（φ）は、０〜３６０度の範囲内とし、かかる方位角（φ）の範囲内で、（４５度刻みに８点測定した結果の平均値を求めた（以下、半値幅（０〜３６０度））。【０２１１】
なお、前記実施の形態においては、前記上拡散シート７０は、ヘイズ値＝５５．０％のものを用いた。他方、下拡散シート７２については、ヘイズ値＝７４．５％のものを用いた。【０２１２】
そして、本実施の形態の液晶表示装置１０では、前記半値幅が３１度に設定されている。【０２１３】
そのため、液晶表示素子２０に斜めから入射する光の強度を抑制することができる。したがって、コントラスト値の低下を抑制することができる。【０２１４】
したがって、先に説明した液晶表示素子２０の高コントラストを実現することができる。【０２１５】
また、液晶表示素子２０の画素のピッチと、プリズムシートの溝のピッチとの異なる２つの周期的パターンの相互作用により発生する「モアレ」の発生は、前記プリズムシートと液晶表示素子２０との間に拡散シート（上拡散シート、下拡散シート、又は、上拡散シート及び下拡散シート）を配置することで抑制することができる。【０２１６】
また、本実施の形態の液晶表示装置１０では、前記液晶表示素子２０と前記バックライトユニット６０とが近接して配置されている。具体的には、前記液晶表示素子と前記バックライトユニットとの間隔が約１ｍｍである。【０２１７】
そのため、前記傾斜光に起因するコントラストの低下が大きくなりやすいところ、かかるコントラストの低下を抑制することができる。【０２１８】
なお、前記液晶表示素子２０と前記バックライトユニット６０とは、密着して（上記間隔が０ｍｍ）設けることも可能である。【０２１９】
〔実施の形態２〕
本発明の他の実施の形態について図９等に基づいて説明すれば、以下の通りである。なお、本実施の形態において説明すること以外の構成は、前記実施の形態１と同じである。【０２２０】
また、説明の便宜上、前記の実施の形態１の図面に示した部材と同じ機能を有する部材については、同じ符号を付し、その説明を省略する。【０２２１】
本実施の形態の液晶表示装置１０は、前記実施の形態１の液晶表示装置１０の構成に加えて、輝度向上フィルム４０が備えられている。【０２２２】
すなわち、本実施の形態の液晶表示装置１０の概略構成を示す断面図である図９に示すように、本実施の形態の液晶表示装置１０では、２枚の偏光板（第１偏光板３４及び第２偏光板３６）のうち、バックライトユニット６０に近いほうの偏光板である前記第１偏光板３４と、前記バックライトユニット６０との間に、輝度向上フィルム４０としての、日東電工社製のＡ−ＰＣＦ（Ｐｏｌａｒｉｚａｔｉｏｎ  Ｃｏｎｖｅｒｓｉｏｎ  Ｆｉｌｍ、商品名）が設けられている。【０２２３】
（輝度向上フィルム）
ここで、輝度向上フィルム４０とは、例えばつぎに示す仕組みなどにより、隣接する偏光板に対する入射光を増加させる作用を有するフィルムのことを意味する。【０２２４】
かかる仕組みとしては、例えば、当該輝度向上フィルム４０に到達した偏光をｐ波とｓ波とに分けた場合、そのうちの一方の偏光のみ、例えばｐ波のみを透過させ、残るｓ波を反射させる。そして、反射した前記ｓ波が、バックライトユニット６０で散乱・反射されて再び輝度向上フィルム４０に到達した際、その一部がｐ波に変化しており、かかるｐ波を透過させる。このような作用を繰り返し、例えばｐ波のみを選択的に透過させるというものである。【０２２５】
なお、前記輝度向上フィルム４０としては、前記Ａ−ＰＣＦ（商品名）に限定されるものではなく、例えば、住友３Ｍ社製のＤ−ＢＥＦ（商品名、Ｂｒｉｇｈｔｎｅｓｓ  Ｅｎｈａｎｃｅｍｅｎｔ  Ｆｉｌｍの略称）などを用いることもできる。また、この輝度向上フィルムは、偏光反射フィルムや偏光ミラーフィルムなどと呼ばれる場合もある。【０２２６】
（輝度向上フィルムと出射光）
ここでまず、バックライトユニット６０からの出射光に関して、前記輝度向上フィルム４０の有無よる光の強度の差異について、図１０の（ａ）及び（ｂ）に基づいて説明する。【０２２７】
図１０の（ａ）及び（ｂ）は、バックライトユニット６０からの出射光の強度を示す図である。【０２２８】
詳しくは、図１０の（ａ）は、前記図１に示したバックライトユニット６０、すなわち、導光板６４、下拡散シート７２、第１プリズムシート６６、第２プリズムシート６８、及び、上拡散シート７０が積層されてなるバックライトユニット６０を測定サンプルとし、その出射面８０からの法線方向への出射光に関して、方位角（φ）及び極角（θ）依存性を示したものである。【０２２９】
他方、図１０の（ｂ）は、前記図１０の（ａ）の測定サンプルに、輝度向上フィルム４０としての前記Ａ−ＰＣＦを重ねたものを測定サンプルとし、そこからの法線方向への出射光に関して、前記図１０の（ａ）と同様に、方位角（φ）及び極角（θ）依存性を示したものである。【０２３０】
図１１の（ａ）及び（ｂ）に、それぞれ、前記図１０の（ａ）及び（ｂ）に結果を示す測定において用いたバックライトユニット６０の層構成の概略を示す。【０２３１】
ここで、図１１の（ａ）及び（ｂ）は、それぞれ、バックライトユニット６０の概略層構成を示す断面図である。そして、前記図１０の（ａ）に示す測定結果は、前記図１１の（ａ）にその断面構成を示すバックライトユニット６０によるものであり、同様に、前記図１０の（ｂ）に示す測定結果は、前記図１１の（ｂ）にその断面構成を示すバックライトユニット６０（輝度向上フィルム４０を含む）によるものである。【０２３２】
なお、測定系など、前記光の強度測定に関する条件等は、先に図６に基づいて説明した、バックライトユニット６０からの出射光の強度を測定するための測定系に準じている。【０２３３】
前記図１０の（ａ）及び（ｂ）に示すように、バックライトユニット６０からの法線方向への出射光は、輝度向上フィルム４０が設けられることにより、言い換えると、輝度向上フィルムを透過することにより、より広い傾斜範囲に分布する。【０２３４】
すなわち、輝度向上フィルム４０が設けられたバックライトユニット６０では、その出射面８０から、ほぼ全方位角（φ）範囲における広い極角（θ）範囲に向かって光が出射している。【０２３５】
そして、この輝度向上フィルム４０が設けられることによる出射範囲の広がりは、特には、傾斜の角度（極角（θ））＝３０〜７０度の範囲で顕著である。【０２３６】
以上より、輝度向上フィルム４０が、バックライトユニット６０と、液晶表示素子２０における前記第１偏光板（バックライトユニット６０側の偏光板）３４との間に設けられた場合、前記液晶表示素子２０に対して、斜めからの入射する光が増加することがわかる。【０２３７】
（液晶表示装置からの出射光）
つぎに、液晶表示素子２０からの法線方向へ出射する光について、入射光の方位角（φ）及び極角（θ）に対する依存性を、図１２の（ａ）及び（ｂ）に基づいて説明する。【０２３８】
ここで図１２の（ａ）は、前記図１にその概略構造を示した実施の形態１にかかる液晶表示素子２０を測定サンプルとして、法線方向での光の強度を測定したものである。【０２３９】
他方、図１２の（ｂ）は、前記図９にその概略構造を示した本実施の形態の液晶表示素子２０（実施の形態１の液晶表示素子２０に輝度向上フィルム４０としてのＡ−ＰＣＦが加えられたもの）を測定サンプルとしたものである。【０２４０】
すなわち、図１２の（ａ）と（ｂ）とは、液晶表示素子２０からの法線方向に対する出射光の強度の、入射光の傾斜角度についての方位角（φ）及び極角（θ）依存性について、輝度向上フィルム４０の有無による差異を示すものである。【０２４１】
なお、測定系など、前記光の強度測定に関する条件等は、前記図３の（ａ）及び（ｂ）に基づいて説明した測定系等に準じている。【０２４２】
前記図１２の（ａ）及び（ｂ）に示すように、輝度向上フィルム４０が設けられることにより、方位角（φ）＝４５度、１３５度、２２５度及び３１５度において、特に極角（θ）＝３０〜７０度で入射した光が法線方向に出射しやすいことがわかる。【０２４３】
図１３は、液晶表示素子２０から、法線方向に対して出射した光に関して、前記輝度向上フィルム４０の有無による差（輝度向上フィルム４０有りでの出射光の強度から、同条件での、輝度向上フィルム４０無しでの出射光の強度を差し引いたもの）を示した図である。【０２４４】
前記図１３に示すように、輝度向上フィルム４０が設けられることにより、方位角（φ）＝４５度、１３５度、２２５度及び３１５度において、特に極角（θ）＝５０度近傍から入射した光が、より法線方向に出射しやすくなることがわかる。【０２４５】
そして、かかる傾斜光が液晶表示素子２０の法線方向に出射することにより、先に説明したように、コントラスト値の低下が生じやすい。【０２４６】
なお、図１３に示す測定についても、その測定系及び、出射強度差を求めるための測定サンプルなどは、さきに説明したものに準じる。また、本測定は、液晶表示素子２０が黒表示を行っている際のものである。【０２４７】
（本実施の形態の液晶表示装置）
以上のように、バックライトユニット６０と液晶表示素子２０との間に、輝度向上フィルム４０が設けられると、液晶表示素子２０への傾斜光（すなわち前記液晶表示素子２０の法線方向から出射しやすい方向からの入射光）の強度が、液晶表示素子２０の法線方向への入射光の強度よりも大きくなり、コントラストが低下する。【０２４８】
したがって、コントラストの低下を抑制するために、輝度向上フィルム４０が設けられていない場合以上に、傾斜光を低減する必要がある。【０２４９】
この点、本実施の形態の液晶表示装置１０では、液晶表示素子２０の法線方向に透過しやすい傾斜光の入射角度に入射してくるバックライトユニット６０からの出射光の強度を抑制している。具体的には、バックライトユニット６０の方位角方向の強度特性を調節している。【０２５０】
以上のことを数式で表すと、
バックライトユニット６０からの出射光の強度特性（図７や図１０で表されている特性）を
Ｌ（θ，φ）  ：θは極角、φは方位角を示す
とし、
液晶表示素子に対して傾斜した方向（θ、φ）から入射する光の法線方向への透過率を
Ｔ（θ，φ）
とすると、
法線方向に透過する光強度の総計はＳは、
Ｓ＝∬Ｌ（θ，φ）・Ｔ（θ，φ）ｓｉｎθｄθｄφ  ・・式（１）
となる。【０２５１】
そして、本発明は、上記式（１）においてＬ（θ、φ）を調節して、光強度の総計Ｓを小さくするというものである。【０２５２】
次に、本発明によるコントラストの改善効果について、図１４に基づいて説明する。図１４は、液晶表示装置の正面コントラストを示す図である。また、図１５は、前記図１４に対応するバックライトユニットの強度分布を示す図である。【０２５３】
図１４は、Ａ−ＰＣＦ（図１４及び図１５ではＰＣＦと標記）の有無（有りと無しとの２条件）、プリズムシートの軸角度（（０°−１８０°，９０°−２７０°）と（４５°−２２５°，１３５°−３１５°）との２条件）、上拡散シートのヘイズ値（３２．５％，５５％，７６％，８１．４％の４条件）についての、正面コントラストの測定結果示している。なお、上記測定には直線偏光タイプのＶＡモードの液晶表示素子を用い、第１偏光板と第２偏光板との吸収軸角度は０・９０°とした。【０２５４】
図１４に示すコントラスト値のうち、下線を付した数値が、プリズムシートの軸角度を、（４５°−２２５°，１３５°−３１５°）から（０°−１８０°，９０°−２７０°）に変えたときに、コントラスト値が改善されたものを示している。【０２５５】
すなわち、Ａ−ＰＣＦ無しでは、上拡散シートのヘイズ値が５５％の場合と７６％の場合とで、上記プリズムシートの軸角度の変更によりコントラスト値が向上し、他方、Ａ−ＰＣＦ有りでは、上拡散シートのヘイズ値が３２．５％の場合に、コントラスト値が向上した。【０２５６】
ここで、Ａ−ＰＣＦ無しでは、上拡散シートのヘイズ値が大きくなると（例えば８１．４％）、バックライトユニットの出射光の強度特性Ｌ（θ，φ）についてφの依存性が小さくなる（方位角方向に対する指向性が減少し、どの方位角φをとってもθに対する強度Ｌが大きくは変わらない）ため、プリズムシートの軸角度を変えた際のコントラスト値の変化が小さくなっている。また、Ａ−ＰＣＦ有りでは、Ａ−ＰＣＦによって強度特性Ｌ（θ，φ）のφ依存性が小さくなるので、プリズムシートの軸角度の変更によってコントラストの改善される割合が、上記Ａ−ＰＣＦ無しと比較した場合に小さくなっている。【０２５７】
（構成例）
以下、本発明にかかる液晶表示装置１０の具体的な構成例について、図に基づいて説明する。【０２５８】
図１６は、本実施の形態の液晶表示装置（直線偏光タイプのＶＡモード）１０の一例を示す要部斜視図である。すなわち、前記図１６に示すように、本実施の形態の液晶表示素子１０においては、第１プリズムシート６６のプリズム軸Ｐ１は方位角（φ）＝９０度方向、第２プリズムシート６８のプリズム軸Ｐ２は方位角（φ）＝０度方向、第１偏光板３４の吸収軸方向Ｈ１は方位角（φ）＝０度方向、第２偏光板３６の吸収軸方向Ｈ２は方位角（φ）＝９０度方向になっている。【０２５９】
したがって、前記輝度向上フィルム４０を介して液晶表示素子２０に入射してコントラストを低下させやすい、前記方位角（φ）＝４５度、１３５度、２２５度及び３１５度において、特に極角（θ）＝５０度近傍方向への、バックライトユニット６０からの出射光の強度を抑制することができる。【０２６０】
そのため、かかる傾斜光が法線方向から出射することによるコントラストの低下を抑制することができる。具体的には、バックライトユニット６０からの出射光の角度（方位角（φ）・極角（θ））依存性について、その出射強度の強い方向と、液晶表示素子２０において、傾斜光が法線方向に対して出射しやすい方向とが一致する構成（低コントラスト構成）に比べ、前記図１６に示す本実施の形態の液晶表示装置１０では、コントラストが約３％〜４％向上する。【０２６１】
ここで、上記低コントラスト構成とは、例えば、図１７に示す構成である。なお、図１７は、液晶表示装置１０の概略構成を示す要部断面図である。【０２６２】
すなわち、かかる構成（低コントラスト構成）としては、例えば、プリズムシートのプリズム軸と偏光板の吸収軸とが、４５度又は１３５度の関係になっている構成が考えられる。【０２６３】
具体的には、前記図１７に示すように、第１プリズムシート６６のプリズム軸Ｐ１は方位角（φ）＝４５度方向、第２プリズムシート６８のプリズム軸Ｐ２は方位角（φ）＝１３５度方向、第１偏光板３４の吸収軸方向Ｈ１は方位角（φ）＝０度方向、第２偏光板３６の吸収軸方向Ｈ２は方位角（φ）＝９０度方向になっている構成が例示可能である。【０２６４】
（他の構成）
なお、本発明は前記した各実施の形態に限定されるものではなく、請求項に示した範囲で種々の変更が可能であり、異なる実施の形態にそれぞれ開示された技術的手段を適宜組み合わせて得られる実施の形態についても本発明の技術的範囲に含まれる。【０２６５】
（プリズム軸と吸収軸）
例えば、前記の説明では、プリズムシートのプリズム軸の方向と、偏光板の吸収軸方向とについて、図１６に基づいて、第１プリズムシート６６のプリズム軸Ｐ１が方位角（φ）＝９０度方向、第２プリズムシート６８のプリズム軸Ｐ２が方位角（φ）＝０度方向、第１偏光板３４の吸収軸方向Ｈ１が方位角（φ）＝０度方向、第２偏光板３６の吸収軸方向Ｈ２が方位角（φ）＝９０度方向となる構成について説明した。【０２６６】
本発明の構成は、かかる構成に限定されず、例えば、前記各プリズム軸Ｐ１・Ｐ２を９０度方位角（φ）方向に回転させた構成をすることができる。【０２６７】
すなわち、本発明の液晶表示装置１０の要部斜視図である図１８に示すように、第１プリズムシート６６のプリズム軸Ｐ１が方位角（φ）＝０度方向、第２プリズムシート６８のプリズム軸Ｐ２が方位角（φ）＝９０度方向、第１偏光板３４の吸収軸方向Ｈ１が方位角（φ）＝０度方向、第２偏光板３６の吸収軸方向Ｈ２が方位角（φ）＝９０度方向となるように構成することもできる。【０２６８】
また、本発明の液晶表示装置１０の要部斜視図である図１９に示すように、第１プリズムシート６６のプリズム軸Ｐ１が方位角（φ）＝４５度方向、第２プリズムシート６８のプリズム軸Ｐ２が方位角（φ）＝１３５度方向、第１偏光板３４の吸収軸方向Ｈ１が方位角（φ）＝１３５度方向、第２偏光板３６の吸収軸方向Ｈ２が方位角（φ）＝４５度方向となるように構成することもできる。【０２６９】
この図１９に例示した構成では、液晶表示装置１０の観者Ｖに近い第２偏光板３６の吸収軸方向Ｈ２が、方位角（φ）＝０度や９０度等の、いわゆる軸方向ではなく、軸方向から傾斜している。【０２７０】
そのため、例えば、液晶表示装置１０の観者Ｖが偏光サングラス９０を装着していても、その表示が完全には遮断されにくい。【０２７１】
すなわち、前記観者Ｖが偏光サングラス９０を装着している場合、当該偏光サングラス９０の吸収軸と、前記第２偏光板３６の吸収軸方向Ｈ２とが直交した場合、前記観者Ｖは、液晶表示装置１０に表示される画像を見ることができない。【０２７２】
そして、前記偏光サングラス９０の吸収軸は、図１９に示す両矢印Ｇ１又はＧ２方向に向いている場合が多い。すなわち、かかる吸収軸は、観者Ｖが装着した状態で、鉛直方向Ｇ１又は水平方向Ｇ２に向いている場合が多い。【０２７３】
この点、前記図１９に示すように、第２偏光板３６の吸収軸方向Ｈ２が、方位角（φ）＝４５度方向である場合には、前記偏光サングラス９０の吸収軸が前記鉛直方向Ｇ１又は水平方向Ｇ２の何れの方向に向いていても、液晶表示装置１０の表示が全く見えなくなることを防止することができる。【０２７４】
（液晶モード）
また、前記の説明では、液晶モードについて、垂直配向モードの直線偏光タイプについて説明したが、本発明の液晶モードは、かかるものに限定されない。例えば他の液晶モードとしては、垂直配向モードにおいても、リベット等を用いて、液晶分子を分割配向ではなく、全方位配向させ、液晶層と各偏光板との間に、例えばλ／４などの位相差板を挿入した、いわゆる円偏光タイプを用いることもできる。なお、前記直線偏光タイプと円偏光タイプとの相違については、図２１に基づいて後述する。【０２７５】
また、垂直配向モード以外の、例えばＴＮ（Ｔｗｉｓｔｅｄ  Ｎｅｍａｔｉｃ：ねじれネマチック）モードや、ＩＰＳ（Ｉｎ  Ｐｌａｎｅ  Ｓｗｉｔｃｈｉｎｇ）モードなどに用いることもできる。【０２７６】
ここで、前記各液晶モードにおける、傾斜光の散乱特性について図２０の（ａ）〜（ｅ）に基づいて説明する。【０２７７】
ここで、図２０の（ａ）〜（ｅ）は、各液晶モードにおける光の散乱特性を示す図である。以下、具体的に述べる。【０２７８】
図２０の（ａ）は、参考として、ガラス板の両面に光軸が直交するような配置（クロスニコル配置）で偏光板を設けた測定サンプル、図２０の（ｂ）は、垂直配向モードの液晶表示素子における、先に説明した円偏光タイプの測定サンプル、図２０の（ｃ）は、前記ＩＰＳモードの液晶表示素子が備えられた測定サンプル、図２０の（ｄ）は、前記ＴＮモードの液晶表示素子が備えられた測定サンプル、図２０の（ｅ）は、前記実施の形態において説明した垂直配向モードの液晶表示素子における直線偏光タイプの測定サンプルについて、法線方向から出射される光の強度の、入射方向（方位角（φ）及び極角（θ））依存性を示している。【０２７９】
前記図２０の（ａ）〜（ｅ）に示すように、液晶層が存在する測定サンプル（図２０の（ｂ）〜（ｅ）参照）では、液晶層が存在しないガラス板及び偏光板のみの測定サンプル（図２０の（ａ）参照）と比較して、傾斜光が法線方向に出射しやすい。【０２８０】
したがって、先に説明したとり、バックライトユニット６０から出射される光の方向性を制御することにより、コントラストの低下を抑制することが可能となる。【０２８１】
また、前記図２０の（ｅ）に示すように、垂直配向モードにおける直線偏光タイプが、より傾斜光が法線方向に出射しやすく、その結果、本発明による、コントラスト低下を抑制する効果が、より大きく発揮される。【０２８２】
ここで、垂直配向モードにおける、円偏光タイプと直線偏光タイプとの相違を示す図である図２１に基づいて、上記２タイプについて説明する。【０２８３】
前記図２１に示すように、垂直配向モードにおける円偏光タイプでは、液晶層の液晶（分子）が、リベット等の突起を中心として全方位に向かって配向している。【０２８４】
これに対して直線偏光タイプでは、液晶層は、平面視において、複数の配向領域Ｒに分割されている。ここで配向領域Ｒとは、液晶（分子）の配向方向が、他の隣接する部分と異なる領域を意味する。前記図２１では、４分割された配向例を示している。【０２８５】
この液晶層の構成の相違に対応して、液晶表示素子の層構成も相違する。すなわち、直線偏光タイプでは、液晶層の両面には、各々偏光板が設けられるのみであるのに対して、円偏光タイプでは、λ／４板等の位相差板が備えられる。【０２８６】
具体的には、例えば、液晶層の両面に各々位相差板が設けられた上で、さらにその各々の外側に偏光板が設けられる。【０２８７】
そして、垂直配向モードにおける直線偏光タイプと円偏光タイプとでは、一般に直線偏光タイプの方がコントラストが高く、その結果、本発明のバックライトがより効果的に作用しやすい。【０２８８】
なお、前記図２０の（ａ）〜（ｅ）に結果を示した光の強度の測定における測定系などの測定条件は、先に図３の（ａ）及び（ｂ）などに基づいて説明したものと同様である。【０２８９】
つぎに、各液晶モードの偏光板の構成等を示す図２２に基づいて、各液晶モードにおける前記傾斜光の入射を抑制すべき方位角について説明する。【０２９０】
上記図２２には、先に図２０の（ｂ）〜（ｄ）に基づいて説明した各液晶モードについて、代表的な偏光板の配置例と、散乱特性図から導かれる前記傾斜光を抑制すべき方位角が示されている。【０２９１】
すなわち、直線偏光タイプのＶＡモード、及び、ＴＮモードでは、傾斜光の入射を抑制すべき方位角（φ）は、偏光板の吸収軸から４５度の方位である。ただし、直線偏光タイプのＶＡモードとＴＮモードとでは、好ましい偏光板の吸収軸角度が相違する。【０２９２】
これに対して、円偏光タイプのＶＡモードでは、傾斜光の入射を抑制すべき方位角（φ）は、偏光板の吸収軸から４５度の方位ではなく、例えば裏偏光板（第１偏光板３４）の吸収軸が６３度であり、表偏光板（第２偏光板３６）の吸収軸が−２７度である場合には、０度、１８０度、９０度及び２７０度、特には、０度及び１８０度となる。【０２９３】
また、ＩＰＳモードにおいては、前記散乱特性に特に方位角方向の依存性はみられなかった。また、このＩＰＳモードの液晶表示素子には、位相差板は備えていなかった。【０２９４】
（その他）
また、前記の説明においては、プリズムシートの溝の形状が三角形状のものについて説明したが、プリズムシートの溝の形状は、かかる形状に限定されるものではない。他の例としては、溝の形状を丸みを帯びた半円形状の山と谷とにしてもよい。【０２９５】
また、前記の説明においては、前記プリズムシートは２枚用いたが、プリズムシートの枚数は、かかる枚数に限定されるものではなく、例えば、０枚や１枚など他の枚数とすることもできる。【０２９６】
また、前記の説明においては、拡散シートは、上拡散シート７０と下拡散シート７２との２枚を設けたが、上拡散シート７０又は下拡散シート７２の一方のみとすることもできる。【０２９７】
また、前記の説明においては、上拡散シート７０と下拡散シート７２とは、同じ材料を用いたが、上拡散シート７０と下拡散シート７２とで異なる材料を用いることもできる。
【産業上の利用可能性】
【０２９８】
本発明のバックライトユニット及び液晶表示装置は、高コントラストでの表示を可能とするので、高品位な表示が要求されるディスプレイ用途に好適に利用可能である。
【図１】
2009101745.tif 000003
【図２】
2009101745.tif 000004
【図３】
2009101745.tif 000005
【図４】
2009101745.tif 000006
【図６】
2009101745.tif 000007
【図８】
2009101745.tif 000008
【図９】
2009101745.tif 000009
【図１１】
2009101745.tif 000010
【図１４】
2009101745.tif 000011
【図１６】
2009101745.tif 000012
【図１７】
2009101745.tif 000013
【図１８】
2009101745.tif 000014
【図１９】
2009101745.tif 000015
【図２１】
2009101745.tif 000016
【図２２】
2009101745.tif 000017
【図２３】
2009101745.tif 000018
【図２４】
2009101745.tif 000019
【図２５】
2009101745.tif 000020
【図２６】
2009101745.tif 000021
【図５】
2009101745.tif 000022
【図７】
2009101745.tif 000023
【図１０】
2009101745.tif 000024
【図１２】
2009101745.tif 000025
【図１３】
2009101745.tif 000026
【図１５】
2009101745.tif 000027
【図２０】
2009101745.tif 000028
【国際調査報告】
2009101745.tif 000029
2009101745.tif 000030